(57)【要約】【課題】外板の形状等を考慮して外板の位置決めをすることができる。【解決手段】外板３６と、外板３６の上下一端部から外側へ固定部４２が食み出すように取り付けられており、建物１２の支持部３０に固定部４２が固定される固定部材３８と、を有する外壁部材２８。【選択図】図２
2013204390.tif 000002
【特許請求の範囲】
【請求項１】
外板と、
前記外板の上下一端部から外側へ固定部が食み出すように該外板の内面に取り付けられており、建物に備えられた支持部に前記固定部が固定される固定部材と、
を有する外壁部材。
【請求項２】
前記支持部は、前記外板を支持する下地である請求項１に記載の外壁部材。
【請求項３】
前記外板の上下他端部に位置する該外板の内面と前記支持部との間に、スペーサー部材が設けられている請求項１又は２に記載の外壁部材。
【請求項４】
前記スペーサー部材は、前記外板と一体となるように該外板の内面に固定されている請求項３に記載の外壁部材。
【請求項５】
前記外板の厚さ方向に対する前記スペーサー部材の厚さは、前記外板の厚さ方向に対する前記固定部材の厚さと等しくなるように設定されている請求項３又は４に記載の外壁部材。
【請求項６】
前記外板は上下に複数配置され、
下方に配置された前記外板の上端部の外面又は内面に形成された切り欠き部に、上方に配置された前記外板の下端部の外面又は内面に形成された突片部が収容されている請求項１〜５の何れか１項に記載の外壁部材。
【発明の詳細な説明】
【技術分野】
【０００１】
本発明は、建物の外周に取り付けられる外壁部材に関する。
【背景技術】
【０００２】
建物の外周に取り付けられる様々な外壁部材が提案されている。例えば、特許文献１では、縦端縁部にフレーム枠体が固定され、このフレーム枠体の外側側面とユニット柱の外側側面とを連結部材で連結することによって外壁パネルがユニット柱に取り付けられている。この外壁パネルを建物の外周に取り付けることにより、外壁パネルの縦端縁に反り、浮き、段差等が生じることを防いで、外観や防水性を向上させることができる。
【０００３】
しかし、特許文献１の外壁パネルをユニット柱に取り付ける連結部材の位置は、ユニット柱の外側側面に限られるので、外壁パネルの形状等を考慮して外壁パネルの位置決めをするのが難しい。
【先行技術文献】
【特許文献】
【０００４】
【特許文献１】特開２００７−２７７９６９号公報
【発明の概要】
【発明が解決しようとする課題】
【０００５】
本発明は係る事実を考慮し、外板の形状等を考慮して外板の位置決めをすることができる外壁部材を提供することを課題とする。
【課題を解決するための手段】
【０００６】
請求項１に記載の外壁部材は、外板と、前記外板の上下一端部から外側へ固定部が食み出すように該外板の内面に取り付けられており、建物に備えられた支持部に前記固定部が固定される固定部材と、を有する。
【０００７】
次に、請求項１に記載の外壁部材の作用を説明する。請求項１に記載の外壁部材では、外板に固定部材が取り付けられているので、取り付けたい位置に外板を配置することにより、固定部材の位置が自動的に決まる。これにより、配置した位置に外板を取り付けることができる。
【０００８】
請求項２に記載の外壁部材は、請求項１に記載の外壁部材において、前記支持部は、前記外板を支持する下地である。
【０００９】
次に、請求項２に記載の外壁部材の作用を説明する。請求項２に記載の外壁部材では、固定部材によって外板を下地に取り付けることができる。
【００１０】
請求項３に記載の外壁部材は、請求項１又は２に記載の外壁部材において、前記外板の上下他端部に位置する該外板の内面と前記支持部との間に、スペーサー部材が設けられている。
【００１１】
次に、請求項３に記載の外壁部材の作用を説明する。請求項３に記載の外壁部材では、スペーサー部材によって外板を支持することができる。また、外板の内面と支持部との間隔をスペーサー部材の厚さ（外板の厚さ方向に対するスペーサー部材の厚さ）にすることができる。
【００１２】
請求項４に記載の外壁部材は、請求項３に記載の外壁部材において、前記スペーサー部材は、前記外板と一体となるように該外板の内面に固定されている。
【００１３】
次に、請求項４に記載の建物の作用を説明する。請求項４に記載の外壁部材では、支持部に外板を取り付ける際に、スペーサー部材を入れ忘れるのを防ぐことができる。
【００１４】
請求項５に記載の外壁部材は、請求項３又は４に記載の外壁部材において、前記外板の厚さ方向に対する前記スペーサー部材の厚さは、前記外板の厚さ方向に対する前記固定部材の厚さと等しくなるように設定されている。
【００１５】
次に、請求項５に記載の建物の作用を説明する。請求項５に記載の外壁部材では、スペーサー部材の厚さを固定部材の厚さと等しくなるように設定することにより、外板の内面と支持部の外面との間隔を、固定部材及びスペーサー部材の厚さにすることができる。
【００１６】
請求項６に記載の外壁部材は、請求項１〜５の何れか１項に記載の外壁部材において、前記外板は上下に複数配置され、下方に配置された前記外板の上端部の外面又は内面に形成された切り欠き部に、上方に配置された前記外板の下端部の外面又は内面に形成された突片部が収容されている。
【００１７】
次に、請求項６に記載の外壁部材の作用を説明する。請求項６に記載の外壁部材では、外板の外面に形成される目地（下方に配置された外板と、上方に配置された外板との継ぎ目）を外板の内面側から突片部で覆うことができる。
【発明の効果】
【００１８】
以上説明したように請求項１に記載の外壁部材は上記の構成としたので、取り付けたい位置に外板を取り付けることができる。これにより、外板の形状等を考慮して外板の位置決めをすることができる。
【００１９】
請求項２に記載の外壁部材は上記構成としたので、固定部材によって外板を下地に取り付けることにより、建物に外板を確実に取り付けることができる。
【００２０】
請求項３に記載の外壁部材は上記構成としたので、スペーサー部材によって外板を支持することにより、支持部に取り付けられた外板の撓みや反りを低減することができる。また、外板と支持部との間隔を所定の距離にすることができる。
【００２１】
請求項４に記載の外壁部材は上記構成としたので、スペーサー部材を外板と一体に固定することにより、外板と支持部との間にスペーサー部材を確実に設けることができる。
【００２２】
請求項５に記載の外壁部材は上記構成としたので、固定部材の厚さだけ離して、支持部の外面と平行に外板を取り付けることができる。
【００２３】
請求項６に記載の外壁部材は上記構成としたので、外板の外面に形成される目地を外板の内面側から突片部で覆うことにより、外壁部材によって形成される外壁面の美観をよくすることができる。
【図面の簡単な説明】
【００２４】
【図１】本実施形態に係るユニット建物を示す斜視図である。
【図２】本実施形態に係る外壁パネルを示す全体図である。
【図３】本実施形態に係る外壁パネルの上端部の納まりを示す側断面図である。
【図４】本実施形態に係る外壁パネルの下端部の納まりを示す側断面図である。
【図５】図３のＡ−Ａ断面図である。
【図６】図４のＢ−Ｂ断面図である。
【図７】本実施形態に係る切り欠き部及び突片部の変形例を示す側断面図である。
【図８】本実施形態に係る目地形成スペーサーを示す平断面図である。
【図９】本実施形態に係る外壁パネルの取り付け構造の変形例を示す側断面図である。
【図１０】本実施形態に係る外壁パネルの取り付け構造の変形例を示す側断面図である。
【発明を実施するための形態】
【００２５】
本発明の実施形態に係る外壁部材の一例について説明する。
【００２６】
図１の斜視図には、複数の建物ユニット１０から構成された２階建てのユニット建物１２が示されている。建物ユニット１０は、四隅に立設された柱１４と、水平方向に対して平行に配置された長短２組の天井大梁１６と、水平方向に対して平行に配置された長短２組の床大梁１８とを備えている。天井大梁１６及び床大梁１８には、溝形鋼が用いられている。
【００２７】
天井大梁１６は、両端部を天井仕口部２０に溶接で接合することによって、矩形枠状に組まれた天井フレーム２２を構成し、床大梁１８は、両端部を床仕口部２４に溶接で接合することによって、矩形枠状に組まれた床フレーム２６を構成している。
【００２８】
また、柱１４の上端部は、天井仕口部２０に溶接で接合され、柱１４の下端部は、床仕口部２４に溶接で接合されている。これにより、建物ユニット１０は、ラーメン構造の構造物を構成している。
【００２９】
ユニット建物１２の外周には、外壁パネル、窓、ドア等（不図示）が設けられている。また、天井フレーム２２の下面側には、天井材（不図示）が取り付けられ、床フレーム２６の上面側には、床材（不図示）が取り付けられている。
【００３０】
図２の側断面図には、ユニット建物１２の外周に位置する建物ユニット１０の側面に、外壁部材としての外壁パネル２８が取り付けられている状況が示されている。説明の都合上、以下の説明では、１階部分の建物ユニット１０、床大梁１８、天井大梁１６、下地３０、外壁パネル２８を、建物ユニット１０Ａ、床大梁１８Ａ、天井大梁１６Ａ、下地３０Ａ、外壁パネル２８Ａとし、２階部分の建物ユニット１０、床大梁１８、天井大梁１６、下地３０、外壁パネル２８を、建物ユニット１０Ｂ、床大梁１８Ｂ、天井大梁１６Ｂ、下地３０Ｂ、外壁パネル２８Ｂとする（天井大梁１６Ｂは、不図示）。
【００３１】
外壁パネル２８Ａ、２８Ｂは、隣り合った柱１４の間に１つ以上並べて配置されている。すなわち、１つの外壁パネル２８Ａ、２８Ｂ、又は横方向に並べられた複数の外壁パネル２８Ａ、２８Ｂによって、建物ユニット１０Ａ、１０Ｂの外壁面が形成されている。
【００３２】
図２の天井大梁１６Ａ付近の拡大図である図３、及び図２の床大梁１８Ａ付近の拡大図である図４に示すように、床大梁１８Ａ、１８Ｂ、及び天井大梁１６Ａのウェブ３２には、略Ｕ字状の断面を有する鋼製の外壁フレーム３４がボルト等によって固定されている（図３、４には、ボルト７２とナット７４とによって固定されている例が示されている）。外壁フレーム３４は、床大梁１８Ａ、１８Ｂには、下方へ開口するようにして固定され、天井大梁１６Ａには、上方へ開口するようにして固定されている。
【００３３】
床大梁１８Ａに固定された外壁フレーム３４に、支持部としての合板からなる下地３０Ａの下端部をビス等により固定し（図４には、ビス７６によって固定されている例が示されている）、天井大梁１６Ａに固定された外壁フレーム３４に、下地３０Ａの上端部をビス等により固定する（図３には、ビス７６によって固定されている例が示されている）ことにより、床大梁１８Ａと天井大梁１６Ａとの間の開口面を塞ぐように下地３０Ａが取り付けられている。そして、この下地３０Ａに外壁パネル２８Ａが取り付けられて支持されている。
【００３４】
図２に示すように、外壁パネル２８Ａ、２８Ｂは、外壁材により構成された外板３６と、固定部材としての固定金具３８と、スペーサー部材４０とを有している。図３に示すように、固定金具３８は、両端が上下反対方向へ向かうように略直角に折り曲げた鋼板によって構成されており、一端（上端）が固定部４２、他端（下端）が取り付け部４４になっている。
【００３５】
固定金具３８は、取り付け部４４を外板３６の内面に接着剤、ビス等により固定することによって、外板３６と一体となるように取り付けられている（図３には、接着剤によって固定されている例が示されている）。また、固定金具３８が外板３６に取り付けられた状態で、固定部４２は、外板３６の上端部から外側（上方）へ食み出している。すなわち、外板３６の上端部から外側へ固定部４２が食み出すようにして、外板３６の内面に固定金具３８が取り付けられている。
【００３６】
図３のＡ−Ａ断面図である図５に示すように、固定金具３８は、外板３６の左右両端に各１つ設けられている。なお、固定金具３８は、外板３６の上端部から外側へ固定部４２が食み出せば、外板３６のどの位置に設けてもよいし、いくつ設けてもよい。
【００３７】
図４に示すように、外板３６の下端部に位置するこの外板３６の内面には、外板３６と一体となるようにスペーサー部材４０が固定されている。スペーサー部材４０は、剥離可能な複数層の部材により構成された積層構造となっており、全体としては合成樹脂によって形成された四角柱状の部材である。なお、スペーサー部材４０は、外板３６を支持し、外板３６の内側に所定の隙間を確保することができるものであれば、どのような材料によって形成してもよいし、どのような形状に形成してもよい。例えば、発泡スチロール、木、モルタル等によってスペーサー部材４０を形成してもよいし、円柱状、円筒状等にスペーサー部材４０を形成してもよい。
【００３８】
図４のＢ−Ｂ断面図である図６に示すように、スペーサー部材４０は、外板３６の左右両端に各１つ設けられている。なお、スペーサー部材４０は、外板３６を支持し、外板３６の内側に所定の隙間を確保することができれば、外板３６のどの位置に設けてもよいし、いくつ設けてもよい。
【００３９】
図３に示すように、外壁パネル２８Ａを構成する外板３６の上端部の外面には、矩形断面を有する段状の切り欠き部４６が形成され、内面には、突片部４８が形成されている。また、外壁パネル２８Ａを構成する外板３６の上方に配置された、外壁パネル２８Ｂを構成する外板３６の下端部の内面には、矩形断面を有する段状の切り欠き部５０が形成され、外面には、突片部５２が形成されている。外板３６の厚さ方向に対して、突片部４８、５２の厚さは、切り欠き部５０、４６の厚さよりも少し薄くなっている。
【００４０】
外壁パネル２８Ａは、固定金具３８の固定部４２を下地３０Ａの上端部にビス等により固定することによって、下地３０Ａに取り付けられる（図３には、ビス７６によって固定されている例が示されている）。この状態で、固定金具３８は、外板３６の鉛直荷重を支持し、下地３０Ａの面方向に対する外板３６の位置を規定すると共に、外板３６が外側又は内側へ倒れ込むのを防いでいる。
【００４１】
また、この状態で、図４に示すように、外板３６の内面と、下地３０Ａの外面との間に、スペーサー部材４０が設けられる。ここで、外板３６の厚さ方向に対して、固定金具３８とスペーサー部材４０との厚さは、略等しい長さｄになっているので、外板３６は、外板３６の内面と、下地３０Ａの外面とが略平行になるように長さｄだけ離して配置される。なお、本実施形態では、スペーサー部材４０の端面と、下地３０Ａの外面とを接触させているだけだが、接着剤等により下地３０Ａにスペーサー部材４０を固定するようにしてもよい。
【００４２】
下地３０Ｂは、下地３０Ａと同様の方法で、床大梁１８Ｂと天井大梁１６Ｂとの間の開口面を塞ぐように取り付けられており、外壁パネル２８Ｂは、外壁パネル２８Ａと同様の方法で、下地３０Ｂに取り付けられている。
【００４３】
図３に示すように、外壁パネル２８Ｂは、外壁パネル２８Ａを構成する外板３６の上端部に形成された切り欠き部４６に、外壁パネル２８Ｂを構成する外板３６の下端部に形成された突片部５２を収容し、前面に配置された突片部５２と、背面に配置された突片部４８とを重ね合わせるようにして、下地３０Ｂに取り付けられている。固定金具３８とスペーサー４０とは、この状態で互いに接触しないように、外板３６に固定されている。
【００４４】
次に、本発明の実施形態に係る外壁部材の作用と効果について説明する。
【００４５】
本実施形態では、図２に示すように、外板３６に予め固定金具３８が取り付けられているので、取り付けたい位置に外板３６を配置することにより、固定金具３８の位置が自動的に決まる。これにより、配置した位置に外板３６を取り付けることができる。
【００４６】
よって、取り付けたい位置に外板３６を取り付けることができる。これにより、外板３６の形状等を考慮して外板３６の位置決めをすることができる。また、既に取り付けられた外壁パネル２８Ａ、２８Ｂに合わせて、隣に取り付けられる外壁パネル２８Ａ、２８Ｂの位置を調整できるので、美観のよい外壁面を形成することができる。
【００４７】
また、外板３６に予め固定金具３８が取り付けられているので、外板３６の取付け位置に合わせて、予め固定金具３８やスペーサー部材４０の位置出しをしたり、予め固定金具３８やスペーサー部材４０を下地３０Ａ、３０Ｂに固定したりする必要がない。また、外壁パネル２８Ａ、２８Ｂを下地３０Ａ、３０Ｂに取り付ける際に、外板３６に固定金具３８やスペーサー部材４０を固定する作業を行う必要がない。これらにより、外壁パネル２８Ａ、２８Ｂを下地３０Ａ、３０Ｂに取り付ける作業の施工性を向上させることができ、取り付け時間を短縮することができる。
【００４８】
さらに、外壁パネル２８Ａ、２８Ｂは、外板３６の上端部から外側へ食み出している固定金具３８の固定部４２をビス等により下地３０Ａ、３０Ｂに固定することによって、下地３０Ａ、３０Ｂに取り付けられるので、外壁パネル２８Ａ、２８Ｂを取り付ける際に外板３６の位置調整を行うことができ、また、一度取り付けた外壁パネル２８Ａ、２８Ｂを取り外して取り付け位置を変更することができる。
【００４９】
また、本実施形態では、図３に示すように、固定部材としての固定金具３８によって外板３６を下地３０Ａ、３０Ｂに取り付けることにより、ユニット建物１２の外周に外板３６を確実に取り付けることができる。
【００５０】
さらに、本実施形態では、図３及び図４に示すように、スペーサー部材４０によって外板３６を支持することにより、下地３０Ａ、３０Ｂに取り付けられた外板３６の撓みや反りを低減することができる。また、スペーサー部材４０の厚さを調整することにより、スペーサー部材４０の厚さ（長さｄ）を固定金具３８の厚さ（長さｄ）に略一致させることができる。これにより、外板３６の内面と下地３０Ａ、３０Ｂの外面との間隔を、固定金具３８及びスペーサー部材４０の厚さ（長さｄ）にすることができる。
【００５１】
また、スペーサー部材４０は、予め（下地３０Ａ、３０Ｂに外壁パネル２８Ａ、２８Ｂを取り付ける前に）外板３６に一体に固定されているので、下地３０Ａ、３０Ｂに外壁パネル２８Ａ、２８Ｂを取り付ける際に、スペーサー部材４０を入れ忘れるのを防ぐことができる。よって、外板３６の内面と、下地３０Ａ、３０Ｂの外面との間にスペーサー部材４０を確実に設けることができる。
【００５２】
さらに、本実施形態では、図３に示すように、外壁パネル２８Ａを構成する外板３６の上端部に形成された切り欠き部４６に、外壁パネル２８Ｂを構成する外板３６の下端部に形成された突片部５２が収容されているので、外板３６の外面に形成される目地（外壁パネル２８Ａを構成する外板３６と、外壁パネル２８Ｂを構成する外板３６との継ぎ目）を外板３６の下面側から突片部４８で覆うことができる。よって、外壁パネル２８Ａ、２８Ｂにより形成される外壁面の美観をよくすることができる。
【００５３】
以上、本発明の実施形態に係る外壁部材について説明した。
【００５４】
なお、本実施形態では、図３及び図４に示すように、外板３６の上端部から外側へ固定部４２が食み出すように外板３６の内面に固定金具３８を取り付け、外板３６の下端部に位置するこの外板３６の内面にスペーサー部材４０を固定した例を示したが、外板３６の下端部から外側（下方）へ固定部４２が食み出すように外板３６の内面に固定金具３８を取り付け、外板３６の上端部に位置するこの外板３６の内面にスペーサー部材４０を固定してもよい。
【００５５】
また、本実施形態では、下地３０Ａ、３０Ｂを合板とした例を示したが、下地３０Ａ、３０Ｂを鋼板等の他の材料によって構成してもよい。外板３６が壊れやすい材質の場合、下地３０Ａ、３０Ｂに固定金具３８をビス、釘等によって固定する際に、固定金具３８に大きな力（反力）が発生して外板３６が壊れることが懸念されるので、このような壊れやすい外板３６を用いる場合には、下地３０Ａ、３０Ｂを鋼板よりも軟らかい合板等とするのが好ましい。
【００５６】
さらに、本実施形態では、外壁パネル２８Ａを構成する外板３６の上端部の外面に、切り欠き部４６を形成し、外壁パネル２８Ｂを構成する外板３６の下端部の外面に、突片部５２を形成した例を示したが、図７（ａ）に示すように、外壁パネル２８Ａを構成する外板３６の上端部の内面に、切り欠き部４６を形成し、外壁パネル２８Ｂを構成する外板３６の下端部の内面に、突片部５２を形成してもよい。
【００５７】
また、切り欠き部４６、５０は、他の形状にしてもよい。例えば、図７（ｂ）、（ｃ）に示すように、外壁パネル２８Ａを構成する外板３６の上端部、又は外壁パネル２８Ｂを構成する外板３６の下端部に、ほぞ溝状の切り欠き部５４、５６を形成し、外壁パネル２８Ｂを構成する外板３６の下端部、又は外壁パネル２８Ａを構成する外板３６の上端部に、切り欠き部５４、５６に収容されるほぞ状の突片部５８、６０を形成してもよい。さらに、図７（ｄ）に示すように、切り欠き部や突片部を形成せずに、外壁パネル２８Ａを構成する外板３６の上端面と、外壁パネル２８Ｂを構成する外板３６の下端とを対向させるようにしてもよい。
【００５８】
さらに、本実施形態の図３では、外壁パネル２８Ｂを構成する外板３６の下端縁が、天井大梁１６Ａの前方に位置している例を示したが、外壁パネル２８Ｂを構成する外板３６の下端縁は、どの高さに位置していてもよい。例えば、床大梁１８Ｂの前方に位置していてもよいし、天井大梁１６Ａと床大梁１８Ｂとの間に位置していてもよい。
【００５９】
また、本実施形態の図５では、複数の外壁パネル２８Ａを横方向に並べて取り付けた例を示したが、図８の平面図に示すように、外壁パネル２８Ａ、２８Ｂを構成する外板３６の横方向（幅方向）の端部６２、６４に、鋼製、合成樹脂製、木製等の目地形成スペーサー６６、６８を設けてもよい。このようにすれば、外壁パネル２８Ａ、２８Ｂを構成する外板３６間に確実に所定長さの目地７０を形成することができる。また、目地形成スペーサー６６、６８を上下方向に長尺の部材にし、外板３６の端部６２、６４に沿って配置すれば、目地７０を外板３６の内面側から塞ぐことができるので、目地７０に防水充填剤等の材料を充填し易くなる。さらには、目地７０に充填された防水充填剤等によって外板３６と下地３０Ａ、３０Ｂとの間に形成される空間が塞がれて通気が遮断されるのを防ぐことができる。
【００６０】
さらに、本実施形態では、ユニット建物１２に、外壁パネル２８Ａ、２８Ｂを設けた例を示したが、仮設住宅等の他の構造形式の建物に、外壁パネル２８Ａ、２８Ｂを設けてもよい。本実施形態では、外壁パネル２８Ａ、２８Ｂを取り付ける支持部を下地３０Ａ、３０Ｂとしたが、外壁パネル２８Ａ、２８Ｂを設ける建物に応じて、支持部となる部分を適宜設定すればよい。
【００６１】
例えば、図９に示すように、外壁フレーム３４を支持部として、この外壁フレーム３４に、直接、固定金具３８の固定部４２をボルト固定して、外壁パネル２８Ａ、２８Ｂを取り付けるようにしてもよいし、図１０に示すように、天井大梁１６Ａ、１６Ｂを支持部として、この天井大梁１６Ａ、１６Ｂに、直接、固定金具３８の固定部４２をボルト固定して、外壁パネル２８Ａ、２８Ｂを取り付けるようにしてもよい。
【００６２】
外板３６が壊れやすい材質のものであれば、図２に示すような、下地３０Ａ、３０Ｂに外壁パネル２８Ａ、２８Ｂを取り付ける構造が有効であり、外板３６が撓み易い材質のものであれば、図２及び図９に示すような、外壁フレーム３４に外壁パネル２８Ａ、２８Ｂを取り付ける構造が有効である。
【００６３】
また、本実施形態では、２階建てのユニット建物１２に、外壁パネル２８Ａ、２８Ｂを設けた例を示したが、１階や３階以上の建物やさまざまな規模の建物に、外壁パネル２８Ａ、２８Ｂを設けてもよい。
【００６４】
以上、本実施形態について説明したが、本発明はこうした実施形態に何等限定されるものでなく、本発明の要旨を逸脱しない範囲において、種々なる態様で実施し得ることは勿論である。
【符号の説明】
【００６５】
２８、２８Ａ、２８Ｂ  外壁パネル（外壁部材）
３０、３０Ａ、３０Ｂ  下地（支持部）
３６  外板
３８  固定金具（固定部材）
４０  スペーサー部材
４２  固定部
４６  切り欠き部
５２  突片部
【図１】
2013204390.tif 000003
【図２】
2013204390.tif 000004
【図３】
2013204390.tif 000005
【図４】
2013204390.tif 000006
【図５】
2013204390.tif 000007
【図６】
2013204390.tif 000008
【図７】
2013204390.tif 000009
【図８】
2013204390.tif 000010
【図９】
2013204390.tif 000011
【図１０】
2013204390.tif 000012